【手続補正書】
【提出日】平成16年2月20日(2004.2.20)
【手続補正１】
【補正対象書類名】明細書
【補正対象項目名】発明の名称
【補正方法】変更
【補正の内容】
【発明の名称】バス・コントローラ、電源供給方法、及び、バス・コントローラの電源供給システム


【手続補正２】
【補正対象書類名】明細書
【補正対象項目名】特許請求の範囲
【補正方法】変更
【補正の内容】
【特許請求の範囲】
【請求項１】
第１の装置と第２の装置との間に接続されるとともに、データの入出力を行なう物理系回路部と前記データの処理を行なう制御系回路部とを備えるバス・コントローラにおいて、
前記第１の装置に供給される第１の電源と前記第２の装置に供給される第２の電源とを一つの共通電源配線を介して前記バス・コントローラに供給するようにしたこと
を特徴とするバス・コントローラ。
【請求項２】
データの入出力を行なう物理系回路部と前記データの処理を行なう制御系回路部とをワンチップ上に備えるバス・コントローラにおいて、
前記バス・コントローラは、第１の電源が供給される第１の装置と第２の電源が供給される第２の装置との間に接続され、
前記第１の電源が前記第１の装置に供給されない場合に、前記第２の電源を前記バス・コントローラに供給する手段を備えること
を特徴とするバス・コントローラ。
【請求項３】
前記第２の電源は、該第２の電源のレベルを前記第１の電源のレベルと略同じにする回路を介して前記バス・コントローラに供給されること
を特徴とする請求項１又は請求項２に記載のバス・コントローラ。
【請求項４】
前記第１の装置に前記第１の電源が供給されているか否かを判定する判定回路の判定結果に基づいて、前記制御系回路部の動作を制御する回路を備えること
を特徴とする請求項１、請求項２又は請求項３に記載のバス・コントローラ。
【請求項５】
前記物理系回路部は、
前記第１の装置に前記第１の電源が供給されているか否かを判定する判定回路の判定結果に基づく情報を記憶する手段を備えること
を特徴とする請求項１、請求項２、請求項３又は請求項４に記載のバス・コントローラ。
【請求項６】
第１の電源が供給される第１の装置と第２の電源が供給される第２の装置との間に接続されるとともに、データの入出力を行なう物理系回路部を備えるバス・コントローラにおいて、
前記第１の装置に前記第１の電源が供給されない場合に、前記第２の電源を前記バス・コントローラに供給する手段と、
前記第１の装置に前記第１の電源が供給されているか否かを判定する判定回路の判定結果に基づいて、前記物理系回路部の動作を制御する回路と
を備えることを特徴とするバス・コントローラ。
【請求項７】
第１の装置と第２の装置との間に接続されるとともに、データの入出力を行なう物理系回路部と前記データの処理を行なう制御系回路部とを備えるバス・コントローラに電源を供給する電源供給方法において、
前記第１の装置に第１の電源が供給される場合には、共通電源配線を介して該第１の電源をバス・コントローラに供給し、
前記第１の装置に前記第１の電源が供給されていない場合には、前記共通電源配線を介して前記第２の装置に供給される第２の電源を前記バス・コントローラに供給すること
を特徴とする電源供給方法。
【請求項８】
前記第２の電源のレベルを前記第１の電源のレベルと略同じにして前記バス・コントローラに供給すること
を特徴とする請求項７に記載の電源供給方法。
【請求項９】
前記第１の装置に前記第１の電源が供給されているか否かの判定結果に基づいて、前記物理系回路部又は前記制御系回路部の動作を制御すること
を特徴とする請求項７又は請求項８に記載の電源供給方法。
【請求項１０】
第１の装置と第２の装置との間に接続されるとともに、データの入出力を行なう物理系回路部と前記データの処理を行なう制御系回路部とを備えるバス・コントローラと、
前記第１の装置に供給される第１の電源又は前記第２の装置に供給される第２の電源を前記バス・コントローラに供給する共通電源配線と、
前記第１の装置に前記第１の電源が供給されているか否かを判定する判定回路の判定結果に基づいて、前記物理系回路部又は前記制御系回路部の動作を制御する回路と
を備えることを特徴とするバス・コントローラの電源供給システム。
【手続補正３】
【補正対象書類名】明細書
【補正対象項目名】００１１
【補正方法】変更
【補正の内容】
【００１１】
本発明の目的は、小型化に寄与することができるとともに、設計が容易で特別な製造方法を必要としない１チップ化が可能なコントローラをつくることができるバス・コントローラ、電源供給方法、及び、バス・コントローラの電源供給システムを提供することにある。


【手続補正４】
【補正対象書類名】明細書
【補正対象項目名】００１２
【補正方法】変更
【補正の内容】
【００１２】
【課題を解決するための手段】
請求項１に記載の発明は、第１の装置と第２の装置との間に接続されるとともに、データの入出力を行なう物理系回路部と前記データの処理を行なう制御系回路部とを備えるバス・コントローラにおいて、前記第１の装置に供給される第１の電源と前記第２の装置に供給される第２の電源とを一つの共通電源配線を介して前記バス・コントローラに供給するようにした。
【手続補正５】
【補正対象書類名】明細書
【補正対象項目名】００１３
【補正方法】変更
【補正の内容】
【００１３】
請求項２に記載の発明は、データの入出力を行なう物理系回路部と前記データの処理を行なう制御系回路部とをワンチップ上に備えるバス・コントローラにおいて、前記バス・コントローラは、第１の電源が供給される第１の装置と第２の電源が供給される第２の装置との間に接続され、前記第１の電源が前記第１の装置に供給されない場合に、前記第２の電源を前記バス・コントローラに供給する手段を備えた。
【手続補正６】
【補正対象書類名】明細書
【補正対象項目名】００１４
【補正方法】変更
【補正の内容】
【００１４】
請求項３に記載の発明は、請求項１又は請求項２に記載のバス・コントローラにおいて、前記第２の電源は、該第２の電源のレベルを前記第１の電源のレベルと略同じにする回路を介して前記バス・コントローラに供給されるようにした。
【手続補正７】
【補正対象書類名】明細書
【補正対象項目名】００１５
【補正方法】変更
【補正の内容】
【００１５】
請求項４に記載の発明は、請求項１、請求項２又は請求項３に記載のバス・コントローラにおいて、前記第１の装置に前記第１の電源が供給されているか否かを判定する判定回路の判定結果に基づいて、前記制御系回路部の動作を制御する回路を備えた。
【手続補正８】
【補正対象書類名】明細書
【補正対象項目名】００１６
【補正方法】変更
【補正の内容】
【００１６】
請求項５に記載の発明は、請求項１、請求項２、請求項３又は請求項４に記載のバス・コントローラにおいて、前記物理系回路部は、前記第１の装置に前記第１の電源が供給されているか否かを判定する判定回路の判定結果に基づく情報を記憶する手段を備えた。
【手続補正９】
【補正対象書類名】明細書
【補正対象項目名】００１７
【補正方法】変更
【補正の内容】
【００１７】
請求項６に記載の発明は、第１の電源が供給される第１の装置と第２の電源が供給される第２の装置との間に接続されるとともに、データの入出力を行なう物理系回路部を備えるバス・コントローラにおいて、前記第１の装置に前記第１の電源が供給されない場合に、前記第２の電源を前記バス・コントローラに供給する手段と、前記第１の装置に前記第１の電源が供給されているか否かを判定する判定回路の判定結果に基づいて、前記物理系回路部の動作を制御する回路とを備えた。
【手続補正１０】
【補正対象書類名】明細書
【補正対象項目名】００１８
【補正方法】変更
【補正の内容】
【００１８】
請求項７に記載の発明は、第１の装置と第２の装置との間に接続されるとともに、データの入出力を行なう物理系回路部と前記データの処理を行なう制御系回路部とを備えるバス・コントローラに電源を供給する電源供給方法において、前記第１の装置に第１の電源が供給される場合には、共通電源配線を介して該第１の電源をバス・コントローラに供給し、前記第１の装置に前記第１の電源が供給されていない場合には、前記共通電源配線を介して前記第２の装置に供給される第２の電源を前記バス・コントローラに供給するようにした。
【手続補正１１】
【補正対象書類名】明細書
【補正対象項目名】００１９
【補正方法】変更
【補正の内容】
【００１９】
請求項８に記載の発明は、請求項７に記載の電源供給方法において、前記第２の電源のレベルを前記第１の電源のレベルと略同じにして前記バス・コントローラに供給するようにした。
【手続補正１２】
【補正対象書類名】明細書
【補正対象項目名】００２０
【補正方法】変更
【補正の内容】
【００２０】
請求項９に記載の発明は、請求項７又は請求項８に記載の電源供給方法において、前記第１の装置に前記第１の電源が供給されているか否かの判定結果に基づいて、前記物理系回路部又は前記制御系回路部の動作を制御するようにした。
【手続補正１３】
【補正対象書類名】明細書
【補正対象項目名】００２１
【補正方法】変更
【補正の内容】
【００２１】
請求項１０に記載の発明は、第１の装置と第２の装置との間に接続されるとともに、データの入出力を行なう物理系回路部と前記データの処理を行なう制御系回路部とを備えるバス・コントローラと、前記第１の装置に供給される第１の電源又は前記第２の装置に供給される第２の電源を前記バス・コントローラに供給する共通電源配線と、前記第１の装置に前記第１の電源が供給されているか否かを判定する判定回路の判定結果に基づいて、前記物理系回路部又は前記制御系回路部の動作を制御する回路とを備えた。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
（作用）
請求項１に記載の発明によれば、第１の電源と第２の電源を一つの共通外部配線を介して前記動作電源としてバス・コントローラに供給するようにした。その結果、バス・コントローラに供給される動作電源は１系統となるため、例えば、制御系回路部と物理系回路部を１チップの半導体集積回路装置内に形成した場合、チップ内には１種類の電源線を形成すればよくなる。その結果、複数の各電源系統のための配線をチップ内に形成しない分だけ配線のために回路設計及び配線設計が簡単になるとともにチップを小型化することができる。
【手続補正１７】
【補正対象書類名】明細書
【補正対象項目名】００２５
【補正方法】変更
【補正の内容】
【００２５】
請求項２に記載の発明によれば、第１の電源が供給される第１の装置と第２の電源が供給される第２の装置との間に接続されたバス・コントローラは、第１の電源が供給されない場合でも第２の電源が供給されるため、確実にデータの入出力とデータの処理が物理系回路部と制御系回路部にて行なわれる。
【手続補正１８】
【補正対象書類名】明細書
【補正対象項目名】００２６
【補正方法】変更
【補正の内容】
【００２６】
請求項３に記載の発明によれば、第２の電源は、第１の電源と略同じレベルにてバス・コントローラに供給される。従って、バス・コントローラ内に供給される電源は１系統となり、そのためチップ内には１種類の電源配線を形成すればよい。その結果、複数の各電源系統のための配線をチップ内に形成しない分だけ配線のために回路設計及び配線設計が簡単になるとともにチップが小型になる。
【手続補正１９】
【補正対象書類名】明細書
【補正対象項目名】００２７
【補正方法】変更
【補正の内容】
【００２７】
請求項４に記載の発明によれば、第１の電源が第１の装置に供給されていない場合には制御系回路部の動作が制御されて実質非動作状態になり、不定信号に基づいて誤動作することはない。
【手続補正２０】
【補正対象書類名】明細書
【補正対象項目名】００２８
【補正方法】変更
【補正の内容】
【００２８】
請求項５に記載の発明によれば、物理系回路部は、第１の装置に第１の電源が供給されているか否かを判定する判定回路の判定結果に基づく情報を記憶する手段を備えているため、第１の装置動作していない状態で動作するため、例えば該第１の装置からの信号が入力される端子にノイズ等が混入しても、それにより誤動作することはない。
【手続補正２１】
【補正対象書類名】明細書
【補正対象項目名】００２９
【補正方法】変更
【補正の内容】
【００２９】
請求項６に記載の発明によれば、第１の電源が供給される第１の装置と第２の電源が供給される第２の装置との間に接続されたバス・コントローラは、第１の電源が供給されない場合でも第２の電源が供給されるため、確実にデータの入出力とデータの処理が物理系回路部と制御系回路部にて行なわれる。更に、第１の電源が第１の装置に供給されていない場合には制御系回路部の動作が制御されて実質非動作状態になり、不定信号に基づいて誤動作することはない。
【手続補正２２】
【補正対象書類名】明細書
【補正対象項目名】００３０
【補正方法】変更
【補正の内容】
【００３０】
請求項７に記載の発明によれば、第１の電源が供給される第１の装置と第２の電源が供給される第２の装置との間に接続されたバス・コントローラは、第１の電源が供給されない場合でも第２の電源が供給されるため、確実にデータの入出力とデータの処理が物理系回路部と制御系回路部にて行なわれる。
【手続補正２３】
【補正対象書類名】明細書
【補正対象項目名】００３１
【補正方法】変更
【補正の内容】
【００３１】
請求項８に記載の発明によれば、第２の電源は、第１の電源と略同じレベルにてバス・コントローラに供給される。従って、バス・コントローラ内に供給される電源は１系統となり、そのためチップ内には１種類の電源配線を形成すればよい。その結果、複数の各電源系統のための配線をチップ内に形成しない分だけ配線のために回路設計及び配線設計が簡単になるとともにチップが小型になる。
【手続補正２４】
【補正対象書類名】明細書
【補正対象項目名】００３２
【補正方法】変更
【補正の内容】
【００３２】
請求項９に記載の発明の発明によれば、第１の電源が第１の装置に供給されていない場合には制御系回路部の動作が制御されて実質非動作状態になり、不定信号に基づいて誤動作することはない。
【手続補正２５】
【補正対象書類名】明細書
【補正対象項目名】００３３
【補正方法】変更
【補正の内容】
【００３３】
請求項１０に記載の発明によれば、第１の電源と第２の電源を一つの共通外部配線を介して前記動作電源としてバス・コントローラに供給するようにした。その結果、バス・コントローラに供給される動作電源は１系統となるため、例えば、制御系回路部と物理系回路部を１チップの半導体集積回路装置内に形成した場合、チップ内には１種類の電源線を形成すればよくなる。その結果、複数の各電源系統のための配線をチップ内に形成しない分だけ配線のために回路設計及び配線設計が簡単になるとともにチップを小型化することができる。更に、第１の電源が第１の装置に供給されていない場合には物理系回路部又は制御系回路部の動作が制御されて実質非動作状態になり、不定信号に基づいて誤動作することはない。
【手続補正２６】
【補正対象書類名】明細書
【補正対象項目名】００３４
【補正方法】削除
【補正の内容】
【手続補正２７】
【補正対象書類名】明細書
【補正対象項目名】０１０４
【補正方法】変更
【補正の内容】
【０１０４】
【発明の効果】
請求項１に記載の発明によれば、バス・コントローラに供給される動作電源を１系統にすることができるため、例えば、制御系回路部と物理系回路部を１チップの半導体集積回路装置内に形成した場合、チップ内には１種類の電源線を形成すればよく、複数の各電源系統のための配線をチップ内に形成しない分だけ配線のための回路設計及び配線設計が簡単になるとともに小型のチップを提供することができる。
【手続補正２８】
【補正対象書類名】明細書
【補正対象項目名】０１０５
【補正方法】変更
【補正の内容】
【０１０５】
請求項２に記載の発明によれば、バス・コントローラは、第１の電源が供給されない場合でも第２の電源が供給されるため、確実にデータの入出力とデータの処理が物理系回路部と制御系回路部にて行うことができる。
【手続補正２９】
【補正対象書類名】明細書
【補正対象項目名】０１０６
【補正方法】変更
【補正の内容】
【０１０６】
請求項３に記載の発明によれば、第２の電源は、第１の電源と略同じレベルにてバス・コントローラに供給されるため、チップ内には１種類の電源配線を形成すればよく、各電源系統のための配線をチップ内に形成しない分だけ配線のために回路設計及び配線設計を簡単に行うことができるとともに小型のチップを提供することができる。
【手続補正３０】
【補正対象書類名】明細書
【補正対象項目名】０１０７
【補正方法】変更
【補正の内容】
【０１０７】
請求項４に記載の発明によれば、制御系回路部の動作が制御されるため、不定信号に基づく誤動作を防ぐことができる。
【手続補正３１】
【補正対象書類名】明細書
【補正対象項目名】０１０８
【補正方法】変更
【補正の内容】
【０１０８】
請求項５に記載の発明によれば、物理系回路部には第１の装置に第１の電源が供給されているか否かを判定する判定回路の判定結果に基づく情報が記憶され、該情報に基づき動作するため、第１の装置動作していない状態で該第１の装置からの信号が入力される端子にノイズ等が混入しても、それによる誤動作を防止することができる。
【手続補正３２】
【補正対象書類名】明細書
【補正対象項目名】０１０９
【補正方法】変更
【補正の内容】
【０１０９】
請求項６に記載の発明によれば、バス・コントローラは、第１の電源が供給されない場合でも第２の電源が供給されるため、確実にデータの入出力とデータの処理が物理系回路部と制御系回路部にて行うことができるとともに、制御系回路部の動作が制御されるため、不定信号に基づく誤動作を防ぐことができる。
【手続補正３３】
【補正対象書類名】明細書
【補正対象項目名】０１１０
【補正方法】変更
【補正の内容】
【０１１０】
請求項７に記載の発明によれば、バス・コントローラは、第１の電源が供給されない場合でも第２の電源が供給されるため、確実にデータの入出力とデータの処理が物理系回路部と制御系回路部にて行うことができる。
【手続補正３４】
【補正対象書類名】明細書
【補正対象項目名】０１１１
【補正方法】変更
【補正の内容】
【０１１１】
請求項８に記載の発明の発明によれば、第２の電源は、第１の電源と略同じレベルにてバス・コントローラに供給されるため、チップ内には１種類の電源配線を形成すればよく、各電源系統のための配線をチップ内に形成しない分だけ配線のために回路設計及び配線設計を簡単に行うことができるとともに小型のチップを提供することができる。
【手続補正３５】
【補正対象書類名】明細書
【補正対象項目名】０１１２
【補正方法】変更
【補正の内容】
【０１１２】
請求項９に記載の発明によれば、制御系回路部の動作が制御されるため、不定信号に基づく誤動作を防ぐことができる。
請求項１０に記載の発明によれば、第２の電源は、第１の電源と略同じレベルにてバス・コントローラに供給されるため、チップ内には１種類の電源配線を形成すればよく、各電源系統のための配線をチップ内に形成しない分だけ配線のために回路設計及び配線設計を簡単に行うことができるとともに小型のチップを提供することができる。更に、制御系回路部の動作が制御されるため、不定信号に基づく誤動作を防ぐことができる。